(57)【要約】【課題】  音声通話を開始する前に発呼端末から着呼端末へ交換機を介すことなく緊急度を通知することが可能となる。【解決手段】  本発明の無線通信システム１００における発呼端末１１０は、ユーザによる発呼入力および発呼の緊急度を示す緊急レベル情報の入力を受け付け、発呼入力に応じて、交換機１４０と通信回線の確立を実行し、交換機は、発呼端末との通信回線の確立に応じて、着呼端末１１２との通信回線の確立を実行し、発呼端末と着呼端末との通信回線を確立させ、着呼端末は、発呼端末との通信回線の確立後に、発呼端末との音声通信の開始準備ができたことを示す準備完了情報を、当該発呼端末に送信し、発呼端末は、準備完了情報を受けて着呼端末に緊急レベル情報を送信し、着呼端末は、着呼があったことおよび緊急レベル情報を報知することを特徴としている。【選択図】  図８
2010103973.tif 000002
【特許請求の範囲】
【請求項１】
発呼端末と、交換機と、着呼端末とを含んで構成される無線通信システムであって、
前記発呼端末は、
ユーザによる発呼入力および発呼の緊急度を示す緊急レベル情報入力を受け付ける操作部と、
前記発呼入力に応じて、前記交換機と通信回線の確立を実行する呼制御部と、
を備え、
前記交換機は、
前記発呼端末との通信回線の確立に応じて、前記着呼端末との通信回線の確立を実行し、前記発呼端末と着呼端末との通信回線を確立させる通信確立部を備え、
前記着呼端末は、
前記発呼端末との通信回線の確立後に、前記発呼端末との音声通信の開始準備ができたことを示す準備完了情報を、該発呼端末に送信する着制御部と、
前記発呼端末からの着呼があったことを報知する報知部と、
を備え、
前記呼制御部は、前記準備完了情報を受けて前記着呼端末に前記緊急レベル情報を送信し、前記報知部は、該緊急レベル情報を受信した後、前記着呼があったことに加えて該緊急レベル情報を報知することを特徴とする無線通信システム。
【請求項２】
前記呼制御部は、トラフィックチャネルを通じて緊急レベル情報を送信することを特徴とする請求項１に記載の無線通信システム。
【請求項３】
前記報知部は、マナーモードの設定状態に拘わらず、前記緊急レベル情報を報知することを特徴とする請求項１または２に記載の無線通信システム。
【請求項４】
前記着呼端末は、
前記緊急レベル情報を受信した後に、該緊急レベル情報を示す識別子を検出する検出部と、
前記着呼があったことを、前記報知部に、前記検出された識別子に応じた設定で報知させる設定制御部と、をさらに備えることを特徴とする請求項１または２に記載の無線通信システム。
【請求項５】
交換機を介して着呼端末と無線通信を行う発呼端末であって、
ユーザによる発呼入力および発呼の緊急度を示す緊急レベル情報の入力を受け付ける操作部と、
前記発呼入力に応じて、前記交換機と通信回線の確立を実行し、また、該交換機が該通信回線の確立に応じて前記着呼端末との通信回線の確立を実行することで為される当該発呼端末と前記着呼端末との通信回線の確立後、前記着呼端末が送信する当該発呼端末との音声通信の開始準備ができたことを示す準備完了情報を受けて該着呼端末に前記緊急レベル情報を送信する呼制御部と、
を備えることを特徴とする発呼端末。
【請求項６】
発呼端末と、交換機と、着呼端末とを用いた無線通信方法であって、
前記発呼端末は、
ユーザによる発呼入力および発呼の緊急度を示す緊急レベル情報の入力を受け付け、
前記発呼入力に応じて、前記交換機と通信回線の確立を実行し、
前記交換機は、
前記発呼端末との通信回線の確立に応じて、前記着呼端末との通信回線の確立を実行し、前記発呼端末と着呼端末との通信回線を確立させ、
前記着呼端末は、
前記発呼端末との通信回線の確立後に、前記発呼端末との音声通信の開始準備ができたことを示す準備完了情報を、該発呼端末に送信し、
前記発呼端末は、
前記準備完了情報を受けて前記着呼端末に前記緊急レベル情報を送信し、
前記着呼端末は、
前記着呼があったことおよび前記緊急レベル情報を報知することを特徴とする無線通信方法。
【発明の詳細な説明】
【技術分野】
【０００１】
本発明は、交換機を通じて発呼端末と着呼端末との無線通信を確立する無線通信システム、発呼端末および無線通信方法に関する。
【背景技術】
【０００２】
例えば、携帯電話やＰＨＳ（Personal Handy phone System）といった無線通信端末は、場所や時間を問わず情報交換ができる通信機器として広く利用されている。しかし、その携帯容易性から、電車の中や病院、映画館等といった公共の場での携帯電話の電話マナーなどが問題となっている。このため、着呼側のユーザ（以下、単に着呼者とする。）は、携帯電話の電源を切ったり、マナーモードを設定したりすることで通話を開始しないという対処をしていた。したがって、発呼側のユーザ（以下、単に発呼者とする。）の発呼が緊急の場合であってもリアルタイムに着呼者に伝わらないといった状況が生じ、着呼者は緊急事態に迅速に対応できないという問題があった。
【０００３】
そこで、近年の電子メール送受信機能が設けられた携帯電話を用いて、電子メールで緊急の程度（以下、単に緊急度とする。）の予告を行った後、通話要求するなど、着呼者の状況を確認してから通話を開始する方法が考えられる。
【０００４】
しかし、電子メールを伴う上記の方法では、通話前に、煩雑なメール入力作業が必要となる。また、着呼者がそのメールを見たかどうかを確認できないため、発呼者の意図が伝えられないまま通話が開始されるといった事態に陥ることもあった。
【０００５】
また、従来から携帯電話には留守番電話応答機能が設けられており、例えば、着呼者が会議中であって通話を開始することができない場合、留守番電話応答機能を有効にしておけばその発呼者のメッセージを記憶することができ、会議が終了した後、当該留守番電話応答機能に記憶されたメッセージを聞くことができた。
【０００６】
しかし、留守番電話応答機能を利用する上記の方法においては、発呼者からのメッセージの内容（緊急度等）に拘わらず、着呼者が通話できる状態になったときになって初めて、留守番電話応答機能に記憶されたメッセージを確認し、内容（緊急であるか否か等）を把握することになってしまい、緊急度の高い内容に対応できないといった問題があった。
【０００７】
そこで、着呼者が有する携帯電話機の留守番電話応答機能を有効にしていたとしても、発呼端末に、留守番電話の応答とともに発呼者に制御信号の送信を促す旨の音声メッセージを送信し、発呼者の操作入力に応じて発呼者の電話機からＤＴＭＦ（Dual Tone Multi Frequency）方式の制御信号を送信すると、着呼者が有する携帯電話機が備える着信音やバイブレータといった報知手段によって、着呼者に緊急度を報知する技術が開示されている（例えば、特許文献１）。
【先行技術文献】
【特許文献】
【０００８】
【特許文献１】特開平１１−２７３８０号公報
【発明の概要】
【発明が解決しようとする課題】
【０００９】
しかし上述した特許文献１に記載された制御信号は、発呼端末と着呼端末を中継する交換機においても処理を行う必要があるため、交換機の負荷が多大なものとなっていた。また、発呼者は、留守番電話の応答（着呼後）とともに送信される制御信号の送信を促す旨の音声メッセージを聞いてから緊急度を送信することになるため、真に緊急である場合に煩わしさを伴っていた。
【００１０】
そこで、本発明は、このような問題に鑑み、音声通話を開始する前に発呼端末から着呼端末へ交換機を介すことなく緊急度を通知することが可能な無線通信システム、発呼端末、および無線通信方法を提供することを目的とする。
【課題を解決するための手段】
【００１１】
上記課題を解決するために、本発明の代表的な構成は、発呼端末と、交換機と、着呼端末とを含んで構成される無線通信システムであって、発呼端末は、ユーザによる発呼入力および発呼の緊急度を示す緊急レベル情報入力を受け付ける操作部と、発呼入力に応じて、交換機と通信回線の確立を実行する呼制御部と、を備え、交換機は、発呼端末との声通信回線の確立に応じて、着呼端末との通信回線の確立を実行し、発呼端末と着呼端末との通信回線を確立させる通信確立部を備え、着呼端末は、発呼端末との通信回線の確立後に、発呼端末との音声通信の開始準備ができたことを示す準備完了情報を、当該発呼端末に送信する着制御部と、発呼端末からの着呼があったことを報知する報知部と、を備え、呼制御部は、準備完了情報を受けて着呼端末に緊急レベル情報を送信し、報知部は、当該緊急レベル情報を受信した後、着呼があったことに加えて当該緊急レベル情報を報知することを特徴とする。
【００１２】
発呼端末が着呼端末からの準備完了情報を受けてから、つまり発呼端末と着呼端末との間で通信回線が確立してから、発呼の緊急度を表す旨の緊急レベル情報を送信する構成により、交換機を介さず即ち交換機に煩雑な処理負荷を負わせることなく、発呼端末から着呼端末へ緊急レベル情報を直接送信することが可能となる。また、着呼端末の報知部は、呼出中（着呼があったことの報知中）に緊急レベル情報を報知するため、通話を開始せずとも着呼者に当該通話が緊急であるか否かを判断させることができる。したがって、緊急である場合に、直ちに着呼者に対応を促すことが可能となる。
【００１３】
上記呼制御部は、トラフィックチャネルを通じて緊急レベル情報を送信してもよい。呼出中は、トラフィックチャネル（ＴＣＨ）は利用できるものの、まだ実際の音声を割り当てていないため、緊急レベル情報を、ＴＣＨを通じて送信することにより、容易に緊急レベル情報を識別し、抽出することが可能となる。
【００１４】
上記報知部は、マナーモードの設定状態に拘わらず、緊急レベル情報を報知してもよい。これにより、着呼者の状況に拘わらず、確実に発呼者の緊急レベル情報を着呼者に伝達することが可能となる。
【００１５】
上記着呼端末は、緊急レベル情報を受信した後に、該緊急レベル情報を示す識別子を検出する検出部と、着呼があったことを、報知部に、検出された識別子に応じた設定で報知させる設定制御部と、をさらに備えることを特徴とする。これにより、より確実に発呼者の緊急レベル情報を着呼者に伝達することが可能となる。
【００１６】
上記課題を解決するために、本発明の他の代表的な構成は、交換機を介して着呼端末と無線通信を行う発呼端末であって、ユーザによる発呼入力および発呼の緊急度を示す緊急レベル情報の入力を受け付ける操作部と、発呼入力に応じて、交換機と通信回線の確立を実行し、また、当該交換機が当該通信回線の確立に応じて着呼端末との通信回線の確立を実行することで為される当該発呼端末と着呼端末との通信回線の確立後、着呼端末が送信する当該発呼端末との音声通信の開始準備ができたことを示す準備完了情報を受けて当該着呼端末に緊急レベル情報を送信する呼制御部と、を備えることを特徴とする。
【００１７】
上記課題を解決するために、本発明のさらに他の代表的な構成は、発呼端末と、交換機と、着呼端末とを用いた無線通信方法であって、発呼端末は、ユーザによる発呼入力および発呼の緊急度を示す緊急レベル情報の入力を受け付け、発呼入力に応じて、交換機と通信回線の確立を実行し、交換機は、発呼端末との通信回線の確立に応じて、着呼端末との通信回線の確立を実行し、発呼端末と着呼端末との通信回線を確立させ、着呼端末は、発呼端末との通信回線の確立後に、発呼端末との音声通信の開始準備ができたことを示す準備完了情報を、当該発呼端末に送信し、発呼端末は、準備完了情報を受けて着呼端末に緊急レベル情報を送信し、着呼端末は、着呼があったことおよび緊急レベル情報を報知することを特徴とする。
【００１８】
上述した無線通信システムにおける技術的思想に対応する構成要素やその説明は、当該発呼端末および当該無線通信方法にも適用可能である。
【発明の効果】
【００１９】
以上説明したように本発明は、音声通話を開始する前に発呼端末から着呼端末へ交換機を介すことなく緊急度を通知することが可能となる。
【図面の簡単な説明】
【００２０】
【図１】無線通信システムの概略的な接続関係を示した説明図である。
【図２】発呼端末のハードウェア構成を示した機能ブロック図である。
【図３】発呼端末としての携帯電話を説明するための斜視図である。
【図４】緊急レベル情報テーブルを説明するための説明図である。
【図５】交換機のハードウェア構成を示したブロック図である。
【図６】着呼端末のハードウェア構成を示したブロック図である。
【図７】着呼端末の報知部としての表示部を説明するための説明図である。
【図８】本実施形態にかかる無線通信方法の具体的な処理の流れを示したシーケンス図である。
【図９】本発明のその他の実施形態にかかる着呼端末のハードウェア構成を示したブロック図である。
【図１０】本発明のその他の実施形態にかかる緊急レベル情報テーブルを説明するための説明図である。
【図１１】本発明のその他の実施形態にかかる無線通信方法の具体的な処理の流れを示したシーケンス図である。
【図１２】本発明のその他の実施形態にかかる無線通信方法の具体的な処理の流れを示したシーケンス図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
（無線通信システム１００）
図１は、無線通信システムの概略的な接続関係を示した説明図である。かかる無線通信システム１００は、発呼端末１１０と、着呼端末１１２と、基地局１２０と、Ｅｔｈｅｒネット(登録商標)、ＩＳＤＮ(Integrated Services Digital Network)回線、インターネット、専用回線等で構成される通信網１３０と、交換機１４０と、を含んで構成される。ここで、発呼端末１１０は着呼端末１１２の構成要素も備えてもよいし、着呼端末１１２は発呼端末１１０の構成要素も備えてもよい。
【００２２】
本実施形態において、発呼端末１１０および着呼端末１１２として、携帯電話を挙げているが、かかる場合に限られず、ＰＨＳ端末、無線通信機能を備える、ＰＤＡ（Personal Digital Assistant）、パーソナルコンピュータ、デジタルカメラ、音楽プレイヤー、カーナビゲーション、ポータブルテレビ、ゲーム機器、ＤＶＤプレイヤー、リモートコントローラ等様々な電子機器を発呼端末１１０および着呼端末１１２として用いることができる。
【００２３】
上記無線通信システム１００において、ユーザが自身の発呼端末１１０から着呼端末１１２への通信回線の接続を行う場合、発呼端末１１０は、通信可能範囲内にある基地局１２０に無線接続要求を行う。無線接続要求を受信した基地局１２０は、通信網１３０を介して交換機１４０に通信相手との通信接続を要求し、交換機１４０は、着呼端末１１２の位置登録情報を参照し、着呼端末１１２の無線通信範囲内にある基地局１２０を選択して基地局１２０同士の通信経路を確保し、発呼端末１１０と着呼端末１１２の通信を確立する。
【００２４】
このような無線通信システム１００においては、発呼端末１１０と基地局１２０および着呼端末１１２と基地局１２０のスループットおよび通信品質を向上させるため様々な無線通信技術が採用されている。本実施形態では、例えば、ＣＤＭＡ（Code Division Multiple Access）方式を採用する。
【００２５】
このような無線通信システム１００においては、会議等着呼者が着呼に応答することができない受信困難な状況にある場合、発呼者による発呼端末１１０の発呼が緊急であってもリアルタイムに着呼者に伝わらないといった状況が生じ、着呼者は緊急事態に迅速に対応できないという問題があった。
【００２６】
そこで、本実施形態では、音声通話を開始する前に発呼端末１１０から着呼端末１１２へ緊急度を通知することを目的としている。以下、発呼端末１１０、交換機１４０、着呼端末１１２の構成を説明する。
（発呼端末１１０）
図２は、発呼端末のハードウェア構成を示したブロック図であり、図３は、発呼端末としての携帯電話を説明するための斜視図である。図２に示すように、発呼端末１１０は、発呼制御部２１０と、メモリ２１２と、表示部２１４と、操作部２１６と、音声入力部２１８と、音声出力部２２０と、発呼無線通信部２２２とを含んで構成される。
【００２７】
発呼制御部２１０は、中央処理装置（ＣＰＵ）を含む半導体集積回路により発呼端末１１０全体を管理および制御し、メモリ２１２のプログラムを用いて、通話機能、メール送受信機能、撮像機能、音楽再生機能、ＴＶ視聴機能も遂行する。メモリ２１２は、ＲＯＭ、ＲＡＭ、ＥＥＰＲＯＭ、不揮発性ＲＡＭ、フラッシュメモリ、ＨＤＤ等で構成され、発呼制御部２１０で処理されるプログラムを記憶する。本実施形態においてメモリ２１２は、さらに、緊急レベル情報テーブル２３０を記憶している。
【００２８】
表示部２１４は、液晶ディスプレイ、ＥＬ(Electro Luminescence)ディスプレイ等で構成され、メモリ２１２に記憶された、または通信網１３０を介してサーバ（図示せず）から提供される、ＷｅｂコンテンツやアプリケーションのＧＵＩ（Graphical User Interface）を表示することができる。
【００２９】
操作部２１６は、キーボード、十字キー、ジョイスティック、タッチパネル等のスイッチで構成され、ユーザの操作入力を受け付ける。
【００３０】
本実施形態において、操作部２１６は、ユーザ（発呼者）による発呼入力および発呼の緊急度を示す緊急レベル情報の入力を受け付ける。詳細には、発呼制御部２１０は、発呼者の操作部２１６の操作入力に応じて、緊急レベル情報テーブル２３０から任意の緊急レベル情報を選択する。
【００３１】
図４は、緊急レベル情報テーブルを説明するための説明図である。ここでは、会社に勤務しているユーザを想定している。図４に示すように、緊急レベル情報テーブル２３０には、緊急度を示すレベルと内容とを関連付けた緊急情報を複数格納する。本実施形態において緊急レベル情報は５つあり、レベルの値が大きくなるにしたがって緊急度が高くなる。
【００３２】
緊急レベル情報テーブル２３０は、発呼端末１１０に予めインストールされていても、基地局１２０を介して通信網１３０上にあるサーバからダウンロードしても、着呼端末１１２から取得してもよい。また、ユーザによる操作部２１６の操作入力に応じて、内容を任意に変更してもよい。
【００３３】
音声入力部２１８は、マイク等の音声変換手段で構成され、通話時に入力されたユーザの音声を発呼端末１１０内で処理可能な電気信号に変換する。音声出力部２２０は、スピーカで構成され、発呼端末１１０で受信した通話相手（着呼端末１１２）の音声信号を音声に変えて出力する。また、音声出力部２２０は、着信音や、操作部２１６の操作音、アラーム音等も出力できる。
【００３４】
発呼無線通信部２２２は、ＣＤＭＡ、ＷｉＭＡＸ等の無線通信方式を通じて基地局１２０との無線通信を確立し、通信相手（着呼端末１１２）との音声通信やＷｅｂ情報の取得等のデータ通信を実行する。
【００３５】
本実施形態において発呼制御部２１０は、呼制御部２３２としても機能する。
【００３６】
呼制御部２３２は、ユーザによる操作部２１６の発呼入力に応じて、交換機１４０と音声通信確立を実行する。
【００３７】
また、本実施形態において、呼制御部２３２は、後述する着呼端末１１２の着制御部が送信する準備完了情報を受けて、着呼端末１１２に、ユーザの操作入力に応じて選択された緊急レベル情報を、ＴＣＨを通じて送信する。ここで呼制御部２３２が送信する緊急レベル情報は、緊急レベル情報を示す識別子、例えば図４におけるレベル５を示す「５」を送信する。
【００３８】
発呼端末１１０が着呼端末１１２からの準備完了情報を受けてから、発呼の緊急度を表す旨の緊急レベル情報を送信する構成により、交換機１４０を介さず、即ち交換機１４０に煩雑な処理負荷を負わせることなく発呼端末１１０から着呼端末１１２へ緊急レベル情報を直接送信することが可能となる。
【００３９】
また、緊急レベル情報を、通信回線の確立後にＴＣＨを通じて送信することにより、呼出中は、ＴＣＨは利用できるものの、まだ実際の音声を割り当てていないため、着信端末１１２は、容易に緊急レベル情報を識別し、また抽出することが可能となる。
（交換機１４０）
図５は、交換機のハードウェア構成を示したブロック図である。図５に示すように、交換機１４０は、交換機制御部２５０、交換機メモリ２５２、交換機通信部２５４を含んで構成される。
【００４０】
交換機制御部２５０は、中央処理装置（ＣＰＵ）を含む半導体集積回路により交換機１４０全体を管理および制御する。
【００４１】
交換機メモリ２５２は、ＲＯＭ、ＲＡＭ、ＥＥＰＲＯＭ、不揮発性ＲＡＭ、フラッシュメモリ、ＨＤＤ等で構成され、交換機制御部２５０で処理されるプログラムや音声データ等を記憶する。
【００４２】
交換機通信部２５４は、通信網１３０を介して基地局１２０や、様々なサーバ等と接続することができる。また、本実施形態において、交換機通信部２５４は、通信確立部２５６としても機能する。
【００４３】
通信確立部２５６は、発呼端末１１０との通信回線の確立に応じて、着呼端末１１２との通信回線の確立を実行し、発呼端末１１０と着呼端末１１２との通信回線を確立させる。
（着呼端末１１２）
図６は、着呼端末のハードウェア構成を示したブロック図である。上述した発呼端末１１０と実質的に等しい構成要素については、同一の符号を付して説明を省略する。
【００４４】
図６に示すように、着呼端末１１２は、着呼制御部３１０と、メモリ２１２と、表示部２１４と、操作部２１６と、音声入力部２１８と、音声出力部２２０と、着呼無線通信部３２２とを含んで構成される。
【００４５】
着呼制御部３１０は、中央処理装置（ＣＰＵ）を含む半導体集積回路により着呼端末１１２全体を管理および制御する。着呼無線通信部３２２は、ＣＤＭＡ、ＷｉＭＡＸ等の無線通信方式を通じて基地局１２０との無線通信を確立し、通信相手（発呼端末１１０）との音声通信やＷｅｂ情報の取得等のデータ通信を実行する。
【００４６】
本実施形態において、着呼制御部３１０は、着制御部３３０としても機能し、表示部２１４は報知部として機能する。
【００４７】
着制御部３３０は、発呼端末１１０との通信回線の確立後に、発呼端末１１０との音声通信の開始準備ができたことを示す準備完了情報を、発呼端末１１０に送信する。
【００４８】
報知部としての表示部２１４は、発呼端末１１０からの着呼があったことおよび緊急レベル情報を表示することで報知する。
【００４９】
図７は、着呼端末の報知部としての表示部を説明するための説明図である。図７に示すように、本実施形態において着呼端末１１２の表示部２１４は、呼出中（着呼があったことの報知中）に着呼があったこと、発呼者および緊急レベル情報を表示する。
【００５０】
ここでは、着呼端末１１２が緊急レベル情報テーブル２３０を有していれば、発呼端末１１０から送信された識別子に対応する緊急レベルに関連付けられた内容を表示してもよいし（図７（ａ）参照）、緊急レベルのみを表示してもよい（図７（ｂ）参照）。また、緊急レベル情報の緊急度に応じて表示部２１４を点滅させたり、表示部２１４の表示色を変化させたりしてもよい。
【００５１】
これにより、通話を開始せずとも着呼者に当該通話が緊急であるか否かを判断させることができる。したがって、緊急である場合に、直ちに着呼者に対応を促すことが可能となる。
【００５２】
さらに本実施系形態において、報知部としての表示部２１４は、マナーモードの設定状態に拘わらず、緊急レベル情報を表示する。これにより、着呼者の状況に拘わらず、確実に発呼者の緊急レベル情報を着呼者に伝達することが可能となる。
【００５３】
本実施形態において、着呼端末１１２を構成する報知部として表示部２１４を用いているが、これに限定されず、ユーザに情報伝達可能な音声出力部２２０やバイブレータ（図示せず）等を利用することもできる。この際、ユーザによる設定等に応じて、緊急レベル情報のレベルが所定値以下であれば報知しないとしてもよい。
以上説明したように、本実施形態にかかる無線通信システム１００によれば、音声通話を開始する前に交換機を介すことなく発呼端末１１０から着呼端末１１２へ緊急度を通知することが可能となる。
（無線通信方法）
次に、上述した発呼端末１１０、着呼端末１１２、交換機１４０を用いた無線通信方法について説明する。
【００５４】
図８は、本実施形態にかかる無線通信方法の具体的な処理の流れを示したシーケンス図である。
【００５５】
ユーザによる発呼端末１１０への発呼入力および緊急レベル情報の入力を受付けると（Ｓ４００：発呼入力受付ステップ）、発呼端末１１０は、発呼要求を交換機１４０に送信し、交換機１４０との通信回線の確立を実行する（Ｓ４０２：通信回線確立ステップ）。
【００５６】
交換機１４０は、発呼端末１１０との通信回線の確立（Ｓ４０２）に応じて、着呼端末１１２との通信回線の確立を実行し（Ｓ４０４：通信回線確立ステップ）、発呼端末１１０と着呼端末１１２との通信回線を確立する（Ｓ４０６：通信回線確立ステップ）。
【００５７】
そして着呼端末１１２は、発呼端末１１０との通信回線の確立（Ｓ４０６）後に、発呼端末１１０との音声通信の開始準備ができたことを示す準備完了情報を、発呼端末１１０に送信し（Ｓ４０８：準備情報送信ステップ）、発呼端末１１０からの着呼があったことを報知する、すなわち呼び出しを行う（Ｓ４１０：呼び出しステップ）。
【００５８】
発呼端末１１０は、準備情報送信ステップＳ４０８で着呼端末１１２から送信された準備完了情報を受けて着呼端末１１２に緊急レベル情報をＴＣＨを利用して送信し（Ｓ４１２：緊急レベル情報送信ステップ）、着呼端末１１２は、その緊急レベル情報の受信後、着呼があったことに加えて緊急レベル情報を報知する（Ｓ４１４：緊急レベル情報報知ステップ）。
【００５９】
その後、着呼端末１１２が応答すれば（Ｓ４１６：応答ステップ）、発呼端末１１０と着呼端末１１２の通話（音声通信）が確立される（Ｓ４１８：通話確立ステップ）。
【００６０】
ここでは、発呼端末１１０への緊急レベル情報の入力は、発呼の入力とともに行われているが、これに限らず、着呼端末１１２が応答するまではいつでも実行することができる。これにより、着呼端末１１２が暫く応答しない（呼び出し時間が長い）場合、呼び出し中に追加的に緊急レベル情報を入力することも可能となる。
【００６１】
以上説明したように、本実施形態にかかる無線通信方法においても、発呼端末１１０が着呼端末１１２からの準備完了情報を受けてから、発呼の緊急度を表す旨の緊急レベル情報を送信するので、交換機１４０を介さず（交換機１４０に煩雑な処理負荷を負わせることなく）発呼端末１１０から着呼端末１１２へ緊急レベル情報を直接送信することが可能となる。また、着呼端末１１２の報知部は、呼出中（着呼があったことの報知中）に緊急レベル情報を報知するため、通話を開始せずとも着呼者に当該通話が緊急であるか否かを判断させることができる。したがって、緊急である場合に、直ちに着呼者に対応を促すことが可能となる。
【００６２】
(その他の実施形態)
上述する実施形態では、着呼端末１１２の表示部２１４に、呼出中（着呼があったことの報知中）に着呼があったこと、発呼者および緊急レベル情報が表示される。しかしながら、着呼端末を使用する着呼者は、表示部２１４を見ることができない様な状況である場合、緊急レベル情報の表示を見ることができず、通話が緊急であるか否かを判断することができない。したがって、緊急レベル情報に応じた報知を行うことにより、より確実に、通話を開始せずとも着呼者に当該通話が緊急であるか否かを判断させることができる着呼端末を以下に述べる。
【００６３】
図９は、その他の実施形態における着呼端末のハードウェア構成を示したブロック図である。上述した図６の着呼端末１１２と実質的に等しい構成要素については、同一の符号を付して説明を省略する。
【００６４】
図９に示すように、着呼端末４１２は、着呼制御部３１０と、メモリ２１２と、表示部２１４と、操作部２１６と、音声入力部２１８と、音声出力部２２０と、着呼無線通信部３２２と、検出部３４０とを含んで構成される。
【００６５】
着呼制御部３１０は、中央処理装置（ＣＰＵ）を含む半導体集積回路により着呼端末１１２全体を管理および制御する。また、その他の実施形態において、着呼制御部３１０は、着制御部３３０だけでなく、設定制御部３５０としても機能し、表示部２１４や音声出力部２２０は報知部として機能する。
【００６６】
設定制御部３５０は、発呼端末１１０との通信回線の確立後に、発呼端末１１０から送信された送信レベル情報に示される識別子（レベルの値）に応じて、発呼端末１１０からの着呼があったこと報知するための、着呼端末４１２の設定を変更する。この設定の変更にあたって、設定制御部３５０は、メモリ２１２に記憶される、緊急レベル情報テーブル４３０を参照する。
【００６７】
図１０は、その他の実施形態にかかる緊急レベル情報テーブルを説明するための説明図である。ここでは、会社に勤務しているユーザを想定している。図１０に示すように、緊急レベル情報テーブル４３０には、緊急度を示すレベルと内容とを関連付けた緊急情報を複数格納する。緊急レベル情報は５つあり、レベルの値が大きくなるにしたがって緊急度が高くなる。そしてレベル値に応じた報知に関する設定も、併せて格納している。
【００６８】
例えば、発呼端末１１０から送信された送信レベル情報のレベルの値がレベル３以上であった場合、着呼端末におけるマナーモード設定は解除され、音声によって着信が報知される。また、着信時に送信された送信レベル情報の値がレベル４以上であるにも関わらず、着呼者が当該着信に応答しなかった場合は、その着信を不在着信通知として定期的に、一定期間、音声や振動を用いて、報知を継続する。さらに、このとき、緊急レベル情報の全てのレベルにおいて、発呼者のメッセージを音声録音し、その旨を併せて報知してもよい。
【００６９】
検出部３４０は、発呼端末１１０から送信された送信レベル情報に示される識別子（レベルの値）を検出し、検出された識別子に関する情報を設定制御部３５０に出力する。
報知部としての表示部２１４は、発呼端末１１０からの着呼があったことおよび緊急レベル情報を表示することで報知する。
【００７０】
報知部としての音声出力部２２０は、設定制御部３５０が、着呼における緊急レベル情報のレベルの値に応じて、設定変更され、音声出力による着呼の通知が可能である場合に、着信音等を出力することで報知する。
次に、上述した発呼端末１１０、着呼端末４１２、交換機１４０を用いた無線通信方法について説明する。
【００７１】
図１１は、その他の実施形態かかる無線通信方法の具体的な処理の流れを示したシーケンス図である。尚、上述した図８におけるシーケンス図と同一の処理については、同一の符号を付して説明を省略する。
【００７２】
発呼端末１１０から、着呼端末１１２に緊急レベル情報を、ＴＣＨを利用して送信し（Ｓ４１２）、着呼端末１１２は、その緊急レベル情報を受信すると、当該緊急レベル情報におけるレベルの値を検出する（Ｓ５００）。
【００７３】
その後、着呼端末１１２は、緊急レベル情報におけるレベルの値に応じた報知を行うための設定変更を行う（Ｓ５０２）。このとき、レベルの値が４であったとすると、マナーモードを解除し、音声にて着呼があったことを報知可能な設定に変更される。そして、変更された設定にて、着呼があったことを音声にて報知するとともに、緊急レベル情報を表示して報知する（Ｓ５０４）。
【００７４】
その後、着呼端末１１２が応答すれば（Ｓ４１６）、発呼端末１１０と着呼端末１１２の通話（音声通信）が確立される（Ｓ４１８）。
【００７５】
一方、図１２に示す様に、着呼に対して着呼端末１１２が応答しない場合には、着呼端末１１２は、発呼者のメッセージを音声録音する（Ｓ６００）。
【００７６】
その後、着呼端末１１２は、着信時に送信された送信レベル情報の値がレベル４以上である場合には、その着信を不在着信通知として定期的に、一定期間、音声や振動を用いて、報知を継続する（Ｓ６０２）。
【００７７】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７８】
なお、本明細書の無線通信方法における各工程は、必ずしもシーケンス図として記載された順序に沿って時系列に処理する必要はなく、並列的あるいはサブルーチンによる処理を含んでもよい。
【産業上の利用可能性】
【００７９】
本発明は、交換機を通じて発呼端末と着呼端末との無線通信を確立する無線通信システム、発呼端末および無線通信方法に利用することができる。
【符号の説明】
【００８０】
１００…無線通信システム
１１０…発呼端末
１１２…着呼端末
１２０…基地局
２２２…発呼無線通信部
２３０…緊急レベル情報テーブル
２３２…呼制御部
２５６…通信確立部
３３０…着制御部
３４０…検出部
３５０…設定制御部
【図１】
2010103973.tif 000003
【図２】
2010103973.tif 000004
【図３】
2010103973.tif 000005
【図４】
2010103973.tif 000006
【図５】
2010103973.tif 000007
【図６】
2010103973.tif 000008
【図７】
2010103973.tif 000009
【図８】
2010103973.tif 000010
【図９】
2010103973.tif 000011
【図１０】
2010103973.tif 000012
【図１１】
2010103973.tif 000013
【図１２】
2010103973.tif 000014